(57)【要約】【課題】動画像表示の際に画像輪郭部分で生じるボケを低減して、高画質の動画像表示を実現することが可能な液晶表示装置を提供する。【解決手段】入力画像信号の１フレーム期間を第１表示期間と第２表示期間とに分割する手段２７と、液晶表示パネル５が前記第１表示期間経過後に前記入力画像信号の定めるデータ階調輝度を階調遷移方向へ強調した強調階調輝度に到達するような強調変換信号を求める手段２２とを備え、前記第１表示期間において前記強調変換信号を前記液晶表示パネル５に供給するとともに、前記第２表示期間において前記入力画像信号を前記液晶表示パネル５に供給するものである。【選択図】  図１
2004264725.tif 000002
【特許請求の範囲】
【請求項１】
液晶表示パネルを用いて、画像を表示する液晶表示装置であって、
入力画像信号の１垂直表示期間を第１表示期間と第２表示期間とに分割する手段と、
前記液晶表示パネルが前記第１表示期間経過後に前記入力画像信号の定めるデータ階調輝度を階調遷移方向へ強調した強調階調輝度に到達するような強調変換信号を求める手段とを備え、
前記第１表示期間において前記強調変換信号を前記液晶表示パネルに供給するとともに、前記第２表示期間において前記入力画像信号を前記液晶表示パネルに供給することを特徴とする液晶表示装置。
【請求項２】
前記請求項１に記載の液晶表示装置において、
前記入力画像信号のフレーム周波数を高周波数に変換するフレーム周波数変換手段を設けたことを特徴とする液晶表示装置。
【請求項３】
前記請求項１に記載の液晶表示装置において、
前記入力画像信号の１垂直表示期間内で、前記液晶表示パネルの各走査線を、前記強調変換信号の書き込みのために選択するとともに、前記入力画像信号の書き込みのために再度選択するように制御する制御手段を設けたことを特徴とする液晶表示装置。
【請求項４】
液晶表示パネルを用いて、画像を表示する液晶表示装置であって、
入力画像信号の１垂直表示期間を第１表示期間と第２表示期間とに分割する手段と、
前記液晶表示パネルが前記第１表示期間経過後に前記入力画像信号の定めるデータ階調輝度を階調遷移方向へ強調した強調階調輝度に到達するような第１の強調変換信号を求める手段と、
前記液晶表示パネルが前記第２表示期間経過後に前記入力画像信号の定めるデータ階調輝度に到達するような第２の強調変換信号を求める手段とを備え、
前記第１表示期間において前記第１の強調変換信号を前記液晶表示パネルに供給するとともに、前記第２表示期間において前記第２の強調変換信号を前記液晶表示パネルに供給することを特徴とする液晶表示装置。
【請求項５】
前記請求項４に記載の液晶表示装置において、
前記入力画像信号のフレーム周波数を高周波数に変換するフレーム周波数変換手段を設けたことを特徴とする液晶表示装置。
【請求項６】
前記請求項４に記載の液晶表示装置において、
前記入力画像信号の１垂直表示期間内で、前記液晶表示パネルの各走査線を、前記第１の強調変換信号の書き込みのために選択するとともに、前記第２の強調変換信号の書き込みのために再度選択するように制御する制御手段を設けたことを特徴とする液晶表示装置。
【請求項７】
前記請求項１乃至６のいずれかに記載の液晶表示装置において、
前記第１表示期間における強調階調輝度は、１垂直表示期間前の画像信号の定めるデータ階調輝度に対する、現垂直表示期間の画像信号の定めるデータ階調輝度の１８０％以内としたことを特徴とする液晶表示装置。
【発明の詳細な説明】
【０００１】
【発明の属する技術分野】
本発明は、液晶表示パネルを用いて画像を表示する液晶表示装置に関し、特に液晶表示パネルの光学応答特性を改善することができる液晶表示装置に関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ  ＬＣＤが主に用いられている。
【０００４】
最近は、ＬＣＤがコンピュータのディスプレイ装置だけでなく、テレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている（特開平４−３６５０９４号公報、特開２００２−６２８５０号公報等）。以下、本願明細書においては、この駆動方式をオーバーシュート（ＯＳ）駆動と定義する。
【０００６】
従来のオーバーシュート駆動回路の概略構成を図１８に示す。すなわち、これから表示するＭ番目のフレームの入力画像データ（Ｃｕｒｒｅｎｔ  Ｄａｔａ）と、フレームメモリ（ＦＭ）１に保存されたＭ−１番目のフレームの入力画像データ（Ｐｒｅｖｉｏｕｓ  Ｄａｔａ）とを強調変換部２に読み出し、両データの階調遷移パターンとＭ番目のフレームの入力画像データとを、ＯＳテーブルメモリ（ＲＯＭ）３に保存されている付加電圧データ一覧表と照合し、照合して見つけ出した印加電圧データ（強調変換パラメータ）に基づいてＭ番目のフレームの画像表示に要する書込階調データ（強調変換信号）を決定し、液晶コントローラ４を介して液晶表示パネル５のゲートドライバ６及びソースドライバ７に液晶駆動信号を印加する。ここでは、強調変換部２とＯＳテーブルメモリ３とにより強調変換手段を構成している。
【０００７】
尚、液晶表示パネル５は、図１９に示すように、ｎ行×ｍ列のマトリックス状に配列された液晶表示セル１１を有しており、各液晶表示セル１１は液晶画素１２を備えている。各画素１２の近傍には、ＴＦＴ（Ｔｈｉｎ  Ｆｉｌｍ  Ｔｒａｎｓｉｓｔｏｒ）１３が夫々設けられ、これらＴＦＴ１３のドレイン電極は画素１２の電極に接続されている。全ての画素１２の電極には共通の対向電極１４が接続されている。
【０００８】
また、液晶表示パネル５には、ｎ本の走査線１５が平行に配置されている。ｊ（ｊ＝１，２，…，ｎ）番目の走査線１５には、ｊ行目のＴＦＴ１３の開閉制御端子（ゲート電極）が接続されている。さらに、これら行方向の走査線１５に直交するようにｍ本の列方向信号線１６が平行に配置されている。ｋ（ｋ＝１，２，…，ｍ）番目の信号線１６にはｋ列目のＴＦＴ１３の信号入力端子（ソース電極）が接続されている。
【０００９】
この液晶表示パネル５は、ゲートドライバ６及びソースドライバ７を含む駆動回路によって駆動される。ゲートドライバ６及びソースドライバ７は、上述の走査線１５及び信号線１６に夫々接続されており、強調変換部２で強調変換された画像信号はソースドライバ７に入力される。ゲートドライバ６に入力されるサンプリングクロック等の制御信号は、液晶コントロール回路４から供給される。
【００１０】
さらに、上述のＯＳテーブルメモリ３に格納されている印加電圧データは、液晶表示パネル５の光学応答特性の実測値から予め得られるものであり、例えば表示信号レベル数すなわち表示データ数が８ビットの２５６階調である場合、図２０に示すように、２５６の全ての階調に対する印加電圧データを持っていても良いし、例えば３２階調毎の９つの代表階調についての強調変換パラメータ（実測値）のみを記憶しておき、その他の印加電圧データについては、上記実測値から線形補完等の演算で求めるようにしても良い。
【００１１】
一般的に液晶表示パネルにおいては、ある中間調から別の中間調に変更させる時間は長く、中間調を１フレーム期間（例えば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いることにより、図２１に示すように、目標の中間調を短時間（１フレーム期間内）で表示することが可能となる。
【００１２】
【特許文献１】
特開平４−３６５０９４号公報
【特許文献２】
特開２００２−６２８５０号公報
【００１３】
【発明が解決しようとする課題】
しかしながら、上述した従来の液晶表示装置においては、オーバーシュート駆動を用いて、入力画像信号の前フレーム画像データ（Ｐｒｅｖｉｏｕｓ  Ｄａｔａ）と現フレーム画像データ（Ｃｕｒｒｅｎｔ  Ｄａｔａ）とから、液晶が１フレーム期間（１６．７ｍｓｅｃ）経過後に現フレーム画像データの定める透過率となる階調電圧データを求め、これを現フレーム期間にて液晶表示パネル５に印加しているが、液晶の印加電圧−輝度応答特性が遅いことと、液晶が画像を一定期間保持しながら表示するホールド型表示方式であることにより、特に画像の動きと垂直方向の輪郭部分でボケが発生して鮮鋭さを失い、画質劣化が認められるという問題があった。
【００１４】
例えば、０．６ｍｍ×０．６ｍｍの大きさの画素ドットを持つ液晶表示パネルを用いて、図２２に示すように、０階調レベルの背景上で、６４階調レベルの四角形が右方向に１０ｄｏｔ／ｆｒａｍｅで等速移動する動画表示を行った場合の、四角形の右側の輪郭部分（図２２中のＡ部分）において生じるボケ幅をシミュレーションした結果を図２３に示す。ここでは、実際の画質劣化を定量的に評価するため、観視者の眼の随従運動（視線追従移動）を考慮して、５フレーム期間の時系列輝度を積分することで、階調輝度変化（相対輝度）の到達率を求めている。
【００１５】
目標階調輝度に未到達である、相対輝度０％−１００％の間に含まれるドット数を画像のボケ幅と定義した場合、上記シミュレーションにおいては、四角形の右側の輪郭部分で、１８ドット（＝１０．８ｍｍ）分のボケ幅が生じており、このボケが動画像表示性能に悪影響を与えていることが分かる。
【００１６】
本発明は、上記課題に鑑みてなされたものであり、動画像表示の際に画像輪郭部分で生じるボケを低減して、高画質の動画像表示を実現することが可能な液晶表示装置を提供するものである。
【００１７】
【課題を解決するための手段】
本願の第１の発明は、液晶表示パネルを用いて、画像を表示する液晶表示装置であって、入力画像信号の１垂直表示期間を第１表示期間と第２表示期間とに分割する手段と、前記液晶表示パネルが前記第１表示期間経過後に前記入力画像信号の定めるデータ階調輝度を階調遷移方向へ強調した強調階調輝度に到達するような強調変換信号を求める手段とを備え、前記第１表示期間において前記強調変換信号を前記液晶表示パネルに供給するとともに、前記第２表示期間において前記入力画像信号を前記液晶表示パネルに供給することを特徴とする。
【００１８】
本願の第２の発明は、前記入力画像信号のフレーム周波数を高周波数に変換するフレーム周波数変換手段を設けたことを特徴とする。
【００１９】
本願の第３の発明は、前記入力画像信号の１垂直表示期間内で、前記液晶表示パネルの各走査線を、前記強調変換信号の書き込みのために選択するとともに、前記入力画像信号の書き込みのために再度選択するように制御する制御手段を設けたことを特徴とする。
【００２０】
本願の第４の発明は、液晶表示パネルを用いて、画像を表示する液晶表示装置であって、入力画像信号の１垂直表示期間を第１表示期間と第２表示期間とに分割する手段と、前記液晶表示パネルが前記第１表示期間経過後に前記入力画像信号の定めるデータ階調輝度を階調遷移方向へ強調した強調階調輝度に到達するような第１の強調変換信号を求める手段と、前記液晶表示パネルが前記第２表示期間経過後に前記入力画像信号の定めるデータ階調輝度に到達するような第２の強調変換信号を求める手段とを備え、前記第１表示期間において前記第１の強調変換信号を前記液晶表示パネルに供給するとともに、前記第２表示期間において前記第２の強調変換信号を前記液晶表示パネルに供給することを特徴とする。
【００２１】
本願の第５の発明は、前記入力画像信号のフレーム周波数を高周波数に変換するフレーム周波数変換手段を設けたことを特徴とする。
【００２２】
本願の第６の発明は、前記入力画像信号の１垂直表示期間内で、前記液晶表示パネルの各走査線を、前記強調変換信号の書き込みのために選択するとともに、前記入力画像信号の書き込みのために再度選択するように制御する制御手段を設けたことを特徴とする。
【００２３】
本願の第７の発明は、前記第１表示期間における強調階調輝度が、１垂直表示期間前の画像信号の定めるデータ階調輝度に対する、現垂直表示期間の画像信号の定めるデータ階調輝度の１８０％以内としたことを特徴とする。
【００２４】
本発明の液晶表示装置によれば、入力画像信号が低い階調から高い階調へ遷移した際には、第１表示期間経過後に液晶を入力画像信号の定めるデータ階調輝度（透過率）をより大きな強調階調輝度（透過率）に到達させるようオーバーシュート駆動（強調変換処理）を行うとともに、入力画像信号が高い階調から低い階調へ遷移した際には、第１表示期間経過後に液晶を入力画像信号の定めるデータ階調輝度（透過率）をより小さな強調階調輝度（透過率）に到達させるようオーバーシュート駆動（強調変換処理）を行う。
【００２５】
このように、第１表示期間経過後に液晶を入力画像信号の定めるデータ階調輝度（透過率）をより大きな（小さな）強調階調輝度（透過率）に到達させるとともに、第２表示期間経過後に液晶を入力画像信号の定めるデータ階調輝度（透過率）に到達させることによって、動画像表示の際に画像輪郭部分で生じるボケを低減することが可能となり、高画質の動画像表示を実現することができる。
【００２６】
【発明の実施の形態】
以下、本発明の第１実施形態を、図１乃至図８とともに詳細に説明するが、上記従来例と同一部分には同一符号を付し、その説明は省略する。ここで、図１は本実施形態の液晶表示装置における概略構成を示す機能ブロック図、図２は本実施形態の液晶表示装置における各部動作例を示すタイミングチャート、図３は本実施形態の液晶表示装置におけるテーブルメモリ（ＲＯＭ）の一例を示す概略説明図、図４は本実施形態の液晶表示装置における表示動作原理を示す概略説明図である。
【００２７】
図５は本実施形態の液晶表示装置において６４階調から１２８階調へと変化する画像信号が入力された時の書込階調電圧を示す概略説明図、図６は本実施形態の液晶表示装置において６４階調から１２８階調へと変化する画像信号が入力された時の表示階調輝度を示す概略説明図、図７、図８は本実施形態の液晶表示装置における第１表示期間の各目標階調輝度に対するボケ幅を示す説明図である。
【００２８】
本実施形態の液晶表示装置は、図１に示すように、入力画像信号（ここでは、６０Ｈｚのプログレッシブスキャン信号）から垂直／水平同期信号を抽出する同期抽出部２５と、該同期抽出部２５で抽出された垂直／水平同期信号等に基づいて、各部の動作制御を行う制御ＣＰＵ２６と、該制御ＣＰＵ２６からの制御信号に基づいて、入力画像信号のフレーム周波数を２倍（１２０Ｈｚ）に変換するフレーム周波数変換部２７とを備えている。
【００２９】
ここで、フレーム周波数変換部２７は、例えばフレームメモリを備えたものであり、入力画像信号の１フレーム分の画像をフレームメモリに記憶した後、制御ＣＰＵ２６からの制御信号に基づいて、図２（ｂ）に示すように、２倍のフレーム周波数（１２０Ｈｚ）で画像信号を２回繰り返し読み出すことで、液晶表示パネル５に対するフレーム表示周期（垂直表示周期）が１／１２０秒（８．３ｍｓｅｃ）に時間軸圧縮された画像信号を出力する。
【００３０】
すなわち、入力画像信号の１フレーム期間（１６．７ｍｓｅｃ）を第１垂直表示期間（８．３ｍｓｅｃ）と第２垂直表示期間（８．３ｍｓｅｃ）とに分割し、それぞれの垂直表示期間において、時間軸圧縮された１フレーム分の同一の画像データを出力する。
【００３１】
また、本実施形態におけるＯＳテーブルメモリ（ＲＯＭ）２３には、１垂直表示期間（＝８．３ｍｓｅｃ）内で現垂直表示期間の画像データ（Ｃｕｒｒｅｎｔ  Ｄａｔａ）の定めるデータ階調輝度（透過率）を階調遷移方向へ強調した強調階調輝度（透過率）に液晶が到達可能な強調変換パラメータが格納されている。ここでは、図３に示すように、１垂直表示期間前後における３２階調毎の９つの代表階調についての強調変換パラメータが格納されている。尚、これらの強調変換パラメータは液晶表示パネル５の光学応答特性の実測値により求められる。
【００３２】
すなわち、フレームメモリ（ＦＭ）２１には、図２（ｃ）に示すように、液晶表示パネル５に対するフレーム表示周期（垂直表示周期＝８．３ｍｓｅｃ）で画像データの書き込み／読み出しが行われ、強調変換部２２は１垂直表示期間前後の画像データから、ＯＳテーブルメモリ（ＲＯＭ）２３を参照して対応する強調変換パラメータを読み出し、この強調変換パラメータを用いて１垂直表示期間（＝８．３ｍｓｅｃ）経過後に液晶が現画像データの定めるデータ階調輝度（透過率）を階調遷移方向へ強調した強調階調輝度（透過率）となる強調変換信号（書込階調データ）を求め、液晶コントローラ２４に出力する。
【００３３】
従って、図２（ｄ）に示すように、Ｍ番目のフレームにおける第１垂直表示期間の画像データは、Ｍ−１番目のフレームにおける第２垂直表示期間の画像データとの比較結果に基づき、強調変換部２２により強調変換が施されて液晶コントローラ２４に出力される。一方、Ｍ番目のフレームにおける第２垂直表示期間の画像データは、Ｍ番目のフレームにおける第１垂直表示期間の画像データと同一であるため、強調変換は施されず液晶コントローラ２４にスルー出力される。
【００３４】
液晶コントローラ２４は、制御ＣＰＵ２６からの制御信号に基づいて、前記第１垂直表示期間において強調変換が施された画像データ（強調変換信号）を液晶表示パネル５に供給するとともに、前記第２垂直表示期間において強調変換が施されない画像データ（入力画像信号）をそのまま液晶表示パネル５に供給する。
【００３５】
これによって、本実施形態の液晶表示装置は、図４に示すように、液晶表示パネル５の全面に対し、第１走査期間にて強調変換が施された画像データ（強調変換信号）の書込走査を行った後、第２走査期間にて強調変換が施されない画像データ（入力画像信号）の書込走査を行うことで、入力画像信号の１フレーム期間（＝１６．７ｍｓｅｃ）において強調変換信号を表示する第１画像表示期間（＝８．３ｍｓｅｃ）と入力画像信号を表示する第２画像表示期間（＝８．３ｍｓｅｃ）とを発生させている。
【００３６】
すなわち、本実施形態によれば、液晶が第１画像表示期間（入力画像信号の１／２フレーム期間＝液晶表示パネル５に対する１垂直表示期間）経過後に現フレーム画像データの定めるデータ階調輝度を階調遷移方向へ強調した強調階調輝度に到達するように、オーバーシュート駆動（強調変換処理）を行って、液晶応答速度を加速させるとともに、第２画像表示期間（入力画像信号の１／２フレーム期間＝液晶表示パネル５に対する１垂直表示期間）経過後に現フレーム画像データの定めるデータ階調輝度に到達するように、現フレーム画像データをそのまま液晶に印加することで、動画像表示の際に画像輪郭部分で生じるボケを低減することが可能となり、高画質の動画像表示を実現することができる。
【００３７】
例えば、６４階調から１２８階調へと変化する画像信号が入力された場合について、図５及び図６とともに説明する。最初のフレーム期間内の第１画像表示期間では１１８階調レベルの強調変換信号（書込階調データ）が液晶に印加され、該第１画像表示期間経過後に液晶が６４階調輝度以上の目標階調輝度（例えば階調遷移量の５０％を階調遷移方向に強調した場合、９６階調輝度）に到達し、続く第２画像表示期間では６４階調レベルの入力画像信号がそのまま液晶に印加され、液晶はデータ階調輝度である６４階調輝度に到達する。
【００３８】
そして、次のフレーム期間内の第１画像表示期間では１５０階調レベルの強調変換信号（書込階調データ）が液晶に印加され、該第１画像表示期間経過後に液晶が１２８階調輝度以上の目標階調輝度（例えば階調遷移量の５０％を階調遷移方向に強調した場合、１６０階調輝度）に到達し、続く第２画像表示期間では１２８階調の入力画像信号がそのまま液晶に印加され、液晶はデータ階調輝度である１２８階調輝度に到達する。
【００３９】
以上のように、第１画像表示期間における目標階調輝度を、現フレーム期間の画像信号の定めるデータ階調輝度を階調遷移方向に強調した場合の、図２２とともに上述したテスト画像を用いて画質評価した結果を、図７及び図８に示す。ここでは、第１画像表示期間における目標階調輝度を、１フレーム期間前の画像信号の定めるデータ階調輝度に対する、現フレーム期間の画像信号の定めるデータ階調輝度の１００、１２０、１４０、１６０、１８０、２００％とした場合のそれぞれについて、四角形の右側の輪郭部分（図２２中のＡ部分）において生じるボケ幅をシミュレーションしている。
【００４０】
これによると、第１画像表示期間における目標階調輝度の強調度合いを大きくする程、ボケ幅（相対輝度が０％−１００％の範囲）が小さくなっており、画像輪郭部分で生じるボケが低減されることが理解できる。ただし、第１画像表示期間における目標階調輝度をデータ階調輝度の１８０％より強調した場合、輪郭部分での白光りが目立ってくるとともに、ボケ幅低減の改善効果が少なくなってくるため、第１画像表示期間における強調階調輝度は、データ階調輝度に対して１８０％以下とすることが望ましい。
【００４１】
以上のように、本実施形態においては、第１表示期間経過後に液晶が入力画像信号の定めるデータ階調輝度（透過率）をより大きな（小さな）強調階調輝度（透過率）に到達するように、オーバーシュート駆動（強調変換処理）を行うとともに、第２表示期間経過後に液晶が入力画像信号の定めるデータ階調輝度（透過率）に到達するように、入力画像信号をそのままスルー出力することによって、動画像表示の際に画像輪郭部分で生じるボケを低減することが可能となり、高画質の動画像表示を実現することができる。
【００４２】
尚、本実施形態においては、強調変換部２２とＯＳテーブルメモリ（ＲＯＭ）２３とで強調変換手段を構成しているが、ＯＳテーブルメモリを設ける代わりに、例えば遷移前の階調と遷移後の階調とを変数とする２次元関数ｆ（ｐｒｅ，ｃｕｒ）を用意しておき、これを用いて垂直表示周期（走査周期）に対する液晶表示パネル５の光学応答特性を補償する強調変換信号を求める構成としても良い。
【００４３】
また、上記実施形態においては、前画像データと現画像データとの間に階調変化がない場合、現画像データがスルー出力されるというＯＳテーブルメモリ（ＲＯＭ）２３の性質を利用して、第２画像表示期間においては強調変換部２２が入力画像信号をそのまま液晶コントローラ２４に出力する構成としているが、これに限らず、例えばスイッチング手段などにより、各画像表示期間において強調変換信号と入力画像信号との選択出力を行う構成としても良いことは言うまでもない。
【００４４】
さらに、上述の実施形態においては、入力画像信号のフレーム周波数を２倍（１２０Ｈｚ）に変換して、入力画像信号の１フレーム期間の前半（１／２フレーム期間）に相当する垂直表示期間（第１表示期間）で、液晶表示パネル５が入力画像信号の定めるデータ階調輝度を階調遷移方向へ強調した強調階調輝度に到達するように、オーバーシュート駆動（強調変換処理）を行うとともに、入力画像信号の１フレーム期間の後半（１／２フレーム期間）に相当する垂直表示期間（第２表示期間）で、液晶表示パネル５が入力画像信号の定めるデータ階調輝度に到達するように、入力画像信号をそのまま液晶表示パネル５に供給するものについて説明したが、本発明はこれに限らず、入力画像信号のフレーム周波数を任意のＮ（Ｎ＝自然数）倍に変換することで、入力画像信号の１フレーム期間内における第１、第２表示期間の割合を適宜設定するように構成しても良い。
【００４５】
例えば、入力画像信号のフレーム周波数を３倍（１８０Ｈｚ）に変換し、液晶表示パネル５に対するフレーム表示周期（垂直表示周期）が１／１８０秒（５．６ｍｓｅｃ）に時間軸圧縮された画像信号を繰り返し出力して、入力画像信号の１フレーム期間内の第１及び第２垂直表示期間（第１表示期間）において、液晶表示パネル５が入力画像信号の定めるデータ階調輝度を階調遷移方向へ強調した強調階調輝度に到達するように、強調変換が施された画像データ（強調変換信号）を液晶表示パネル５に供給するとともに、入力画像信号の１フレーム期間内の第３垂直表示期間（第２表示期間）においては、液晶表示パネル５が入力画像信号の定めるデータ階調輝度に到達するように、強調変換が施されない画像データ（入力画像信号）をそのまま液晶表示パネル５に供給するように構成しても良い。
【００４６】
同様に、入力画像信号の１フレーム期間内の第１垂直表示期間（第１表示期間）において、液晶表示パネル５が入力画像信号の定めるデータ階調輝度を階調遷移方向へ強調した強調階調輝度に到達するように、強調変換が施された画像データ（強調変換信号）を液晶表示パネル５に供給するとともに、入力画像信号の１フレーム期間内の第２及び第３垂直表示期間（第２表示期間）においては、液晶表示パネル５が入力画像信号の定めるデータ階調輝度に到達するように、強調変換が施されない画像データ（入力画像信号）をそのまま液晶表示パネル５に供給するように構成しても良い。
【００４７】
また、上記第１実施形態においては、第２画像表示期間で強調変換が施されない画像データ（入力画像信号）をそのまま液晶表示パネル５に供給する構成としているが、液晶応答速度が遅い場合や第２画像表示期間を短縮した場合などであっても、第２画像表示期間経過後に液晶表示パネル５を確実に入力画像信号の定めるデータ階調輝度へ到達させるように、オーバーシュート駆動（強調変換処理）を行うようにしても良い。
【００４８】
これについて、本発明の第２実施形態として、図９乃至図１３とともに説明するが、上記第１実施形態と同一部分には同一符号を付し、その説明は省略する。ここで、図９は本実施形態の液晶表示装置における概略構成を示す機能ブロック図、図１０は本実施形態の液晶表示装置における各部動作例を示すタイミングチャート、図１１は本実施形態の液晶表示装置におけるテーブルメモリ（ＲＯＭ）の一例を示す概略説明図、図１２は本実施形態の液晶表示装置において６４階調から１２８階調へと変化する画像信号が入力された時の書込階調電圧を示す概略説明図、図１３は本実施形態の液晶表示装置において６４階調から１２８階調へと変化する画像信号が入力された時の表示階調輝度を示す概略説明図である。
【００４９】
本実施形態の液晶表示装置は、図９に示すように、第１画像表示期間用の強調変換パラメータを格納したＯＳテーブルメモリ（ＲＯＭ）３３ａと、第２画像表示期間用の強調変換パラメータを格納したＯＳテーブルメモリ（ＲＯＭ）３３ｂと、２垂直表示期間前後の階調遷移に基づき、ＯＳテーブルメモリ（ＲＯＭ）３３ａ、３３ｂのいずれかを参照して、強調変換信号を求める強調変換部３２とを備えている。
【００５０】
ＯＳテーブルメモリ（ＲＯＭ）３３ａには、１垂直表示期間（第１表示期間＝８．３ｍｓｅｃ）内で現垂直表示期間の画像データ（Ｃｕｒｒｅｎｔ  Ｄａｔａ）の定めるデータ階調輝度（透過率）を階調遷移方向へ強調した強調階調輝度（透過率）に液晶が到達可能な強調変換パラメータが格納されており、一方、ＯＳテーブルメモリ（ＲＯＭ）３３ｂには、１垂直表示期間（第２表示期間＝８．３ｍｓｅｃ）内で現垂直表示期間の画像データ（Ｃｕｒｒｅｎｔ  Ｄａｔａ）の定めるデータ階調輝度（透過率）に液晶が到達可能な強調変換パラメータが格納されている。
【００５１】
また、フレームメモリ（ＦＭ）３１には、図１０（ｃ）に示すように、現垂直表示期間の画像データ（Ｃｕｒｒｅｎｔ  Ｄａｔａ）が書き込まれるとともに、２垂直表示期間前の画像データ（Ｐｒｅｖｉｏｕｓ  Ｄａｔａ）が読み出されて、強調変換部３２に出力される。すなわち、強調変換部３２は２垂直表示期間前後における画像データの階調遷移から、第１画像表示期間においては、ＯＳテーブルメモリ（ＲＯＭ）３３ａを参照して、対応する強調変換パラメータを読み出し、この強調変換パラメータを用いて１垂直表示期間（＝８．３ｍｓｅｃ）経過後に液晶が現画像データの定めるデータ階調輝度（透過率）を階調遷移方向へ強調した強調階調輝度（透過率）となる強調変換信号（書込階調データ）を求め、液晶コントローラ２４に出力する。
【００５２】
また、第２画像表示期間においては、ＯＳテーブルメモリ（ＲＯＭ）３３ｂを参照して、対応する強調変換パラメータを読み出し、この強調変換パラメータを用いて１垂直表示期間（＝８．３ｍｓｅｃ）経過後に液晶が現画像データの定めるデータ階調輝度（透過率）となる強調変換信号（書込階調データ）を求め、液晶コントローラ３４に出力する。
【００５３】
従って、図１０（ｄ）に示すように、Ｍ番目のフレームにおける第１垂直表示期間の画像データは、Ｍ−１番目のフレームにおける第１垂直表示期間の画像データとの比較結果に基づき、強調変換部３２により強調変換が施されて液晶コントローラ２４に出力される。一方、Ｍ番目のフレームにおける第２垂直表示期間の画像データは、Ｍ−１番目のフレームにおける第２垂直表示期間の画像データとの比較結果に基づき、強調変換部３２により強調変換が施されて液晶コントローラ２４に出力される。
【００５４】
液晶コントローラ２４は、制御ＣＰＵ２６からの制御信号に基づいて、前記第１垂直表示期間において強調変換が施された画像データ（第１の強調変換信号）を液晶表示パネル５に供給するとともに、前記第２垂直表示期間において強調変換が施された画像データ（第２の強調変換信号）を液晶表示パネル５に供給する。
【００５５】
これによって、本実施形態の液晶表示装置は、液晶表示パネル５の全面に対し、第１走査期間にてＯＳテーブルメモリ（ＲＯＭ）３３ａを参照して強調変換が施された画像データ（第１の強調変換信号）の書込走査を行った後、第２走査期間にてＯＳテーブルメモリ（ＲＯＭ）３３ｂを参照して強調変換が施された画像データ（第２の強調変換信号）の書込走査を行うことで、入力画像信号の１フレーム期間（＝１６．７ｍｓｅｃ）において、第１の強調変換信号を表示する第１画像表示期間（＝８．３ｍｓｅｃ）と第２の強調変換信号を表示する第２画像表示期間（＝８．３ｍｓｅｃ）とを発生させている。
【００５６】
すなわち、本実施形態によれば、液晶が第１画像表示期間（入力画像信号の１／２フレーム期間＝液晶表示パネル５に対する１垂直表示期間）経過後に現フレーム画像データの定めるデータ階調輝度を階調遷移方向へ強調した強調階調輝度に到達するように、オーバーシュート駆動（強調変換処理）を行って、液晶応答速度を加速させるとともに、第２画像表示期間（入力画像信号の１／２フレーム期間＝液晶表示パネル５に対する１垂直表示期間）経過後に現フレーム画像データの定めるデータ階調輝度に到達するように、オーバーシュート駆動（強調変換処理）を行うことで、確実に第２画像表示期間内で現フレーム画像データの定めるデータ階調輝度に応答させることができ、動画像表示の際に画像輪郭部分で生じるボケを低減するとともに、所望の階調輝度表示を行うことが可能となり、高画質の動画像表示を実現することができる。
【００５７】
例えば、６４階調から１２８階調へと変化する画像信号が入力された場合について、図１２及び図１３とともに説明する。最初のフレーム期間内の第１画像表示期間では１１８階調レベルの強調変換信号（書込階調データ）が液晶に印加され、該第１画像表示期間経過後に液晶が６４階調輝度以上の目標階調輝度（例えば階調遷移量の５０％を階調遷移方向に強調した場合、９６階調輝度）に到達し、続く第２画像表示期間では５５階調レベルの強調変換信号（書込階調データ）が液晶に印加され、該第２画像表示期間経過後に液晶はデータ階調輝度である６４階調輝度に到達する。
【００５８】
そして、次のフレーム期間内の第１画像表示期間では１５０階調レベルの強調変換信号（書込階調データ）が液晶に印加され、該第１画像表示期間経過後に液晶が１２８階調輝度以上の目標階調輝度（例えば階調遷移量の５０％を階調遷移方向に強調した場合、１６０階調輝度）に到達し、続く第２画像表示期間では１１５階調の強調変換信号（書込階調データ）が液晶に印加され、該第２画像表示期間経過後に液晶はデータ階調輝度である１２８階調輝度に到達する。
【００５９】
以上のように、本実施形態においては、第１表示期間経過後に液晶が入力画像信号の定めるデータ階調輝度（透過率）をより大きな（小さな）強調階調輝度に到達するように、オーバーシュート駆動（強調変換処理）を行うとともに、第２表示期間経過後に液晶が入力画像信号の定めるデータ階調輝度（透過率）に到達するように、オーバーシュート駆動（強調変換処理）を行うことによって、動画像表示の際に画像輪郭部分で生じるボケを低減するとともに、確実に所望の階調輝度表示を行うことが可能となり、高画質の動画像表示を実現することができる。
【００６０】
尚、本実施形態においても、上述した第１実施形態と同様、第１画像表示期間における強調階調輝度は、１フレーム期間前の画像信号の定めるデータ階調輝度に対する、現フレーム期間の画像信号の定めるデータ階調輝度の１８０％以内とすることが望ましい。
【００６１】
また、上記実施形態においては、２垂直表示期間前後の階調遷移から、ＯＳテーブルメモリ（ＲＯＭ）３３ａ，３３ｂを参照して、第１垂直表示期間及び第２垂直表示期間に液晶表示パネル５へ印加する第１の強調変換信号及び第２の強調変換信号を求めているが、例えばＭ−１番目のフレームにおける第２垂直表示期間の画像データとＭ番目のフレームにおける第１垂直表示期間の画像データとの比較結果に基づき、ＯＳテーブルメモリ（ＲＯＭ）３３ａ，３３ｂを参照して、第１の強調変換信号及び第２の強調変換信号のそれぞれを求めて、Ｍ番目のフレームにおける第１垂直表示期間、第２垂直表示期間に出力する構成としても良い。
【００６２】
さらに、上記実施形態においては、第１画像表示期間用の強調変換パラメータと、第２画像表示期間用の強調変換パラメータとを、それぞれ個別に設けられたＯＳテーブルメモリ（ＲＯＭ）３３ａ、３３ｂに格納しているが、単一のＯＳテーブルメモリ（ＲＯＭ）の異なるテーブル領域に格納しておき、参照するテーブル領域を切り替えることにより、第１及び第２の強調変換信号を求めるように構成しても良い。
【００６３】
次に、上述した本発明の第１実施形態においては、入力画像信号のフレーム周波数を高周波数（Ｎ倍）に変換することによって、入力画像信号の１フレーム期間を第１画像表示期間と第２画像表示期間とに分割しているが、本発明はこれに限らず、入力画像信号のフレーム周波数変換を行うことなく、ある時点において異なる走査線に対し強調変換信号と入力画像信号とを同時に書き込む同時書込方式を用いることで、入力画像信号の１フレーム期間を第１画像表示期間と第２画像表示期間とに分割することも可能である。
【００６４】
これについて、本発明の第３実施形態として、図１４乃至図１６とともに説明するが、上記実施形態と同一部分には同一符号を付し、その説明は省略する。ここで、図１４は本実施形態の液晶表示装置における概略構成を示す機能ブロック図、図１５は本実施形態の液晶表示装置におけるゲート駆動に関するタイミングチャート、図１６は本実施形態の液晶表示装置における表示動作原理を示す概略説明図である。
【００６５】
本実施形態の液晶表示装置は、図１４に示すように、入力画像信号の１フレーム期間前後における階調遷移から、ＯＳテーブルメモリ（ＲＯＭ）２３を参照して、第１画像表示期間（ここでは、１／２フレーム期間＝８．３ｍｓｅｃ）経過後に液晶が現フレーム画像データの定めるデータ階調輝度（透過率）を階調遷移方向へ強調した強調階調輝度（透過率）となる強調変換信号（書込階調データ）を求める強調変換部２を備えている。ここで、ＯＳテーブルメモリ（ＲＯＭ）２３は、図３とともに上述した第１実施形態のものと同一であり、入力画像信号の１／２フレーム期間（＝８．３ｍｓｅｃ）内で現フレーム画像データ（Ｃｕｒｒｅｎｔ  Ｄａｔａ）の定めるデータ階調輝度を階調遷移方向へ強調した強調階調輝度に液晶が応答可能な強調変換パラメータが格納されている。
【００６６】
また、制御ＣＰＵ５６からの制御信号に基づいて、ゲートドライバ４６に駆動信号を供給するとともに、前記強調変換部２による強調変換信号（Ｄａｔａ１）と入力画像信号（Ｄａｔａ２）とをそれぞれソースドライバ４７に供給する液晶コントローラ４４を設けている。ここで、ゲートドライバ４６により各走査線を前記強調変換信号（Ｄａｔａ１）の書き込みのために選択する以外に、前記入力画像信号（Ｄａｔａ２）の書き込みのために再度選択するとともに、それに応じて前記強調変換信号（Ｄａｔａ１）及び前記入力画像信号（Ｄａｔａ２）をデータ線へ供給するという一連の動作を１フレーム周期で行う。
【００６７】
図１５は液晶表示パネル５の走査線（ゲート線）に関するタイミングチャートである。ゲート線Ｙ１〜Ｙ４８０は、タイミングを少しずらして、１フレーム周期中において、画像信号を画素セルに書き込むために順次立ち上げられる。４８０本すべてのゲート線を立ち上げて、画像信号を画素セルに書き込むことで１フレーム周期が終了する。
【００６８】
このとき、入力画像信号の定めるデータ階調輝度を階調遷移方向へ強調した強調階調輝度を表示するための強調変換信号（Ｄａｔａ１）を書き込むための立ち上げから、１／２フレーム期間だけ遅延して、ゲート線Ｙ１〜Ｙ４８０を再度立ち上げて、各画素セルにデータ線Ｘを介して入力画像信号（Ｄａｔａ２）の定めるデータ階調輝度を表示する電位を供給する。すなわち、各ゲート線Ｙは、１フレーム周期において、異なる期間で２回高レベルとなり、１回目の選択により画素セルは強調変換信号（Ｄａｔａ１）を表示し、それに続く２回目の選択で、画素セルは入力画像信号（Ｄａｔａ２）の表示を行うことが可能となる。
【００６９】
これによって、本実施形態の液晶表示装置は、図１６に示すように、液晶表示パネル５の全面に対し、第１走査期間にて強調変換が施された画像データ（強調変換信号）の書込走査を行うとともに、第２走査期間にて強調変換が施されない画像データ（入力画像信号）の書込走査を行うことで、入力画像信号の１フレーム期間（＝１６．７ｍｓｅｃ）において、強調変換信号（Ｄａｔａ１）を表示する第１画像表示期間（＝８．３ｍｓｅｃ）と入力画像信号（Ｄａｔａ２）を表示する第２画像表示期間（＝８．３ｍｓｅｃ）とを交互に繰り返し発生させている。
【００７０】
すなわち、本実施形態によれば、液晶が第１画像表示期間（入力画像信号の１／２フレーム期間）経過後に現フレーム画像データの定めるデータ階調輝度を階調遷移方向へ強調した強調階調輝度に到達するように、オーバーシュート駆動（強調変換処理）を行って、液晶応答速度を加速させるとともに、第２画像表示期間（入力画像信号の１／２フレーム期間）経過後に現フレーム画像データの定めるデータ階調輝度に到達するように、現フレーム画像データをそのまま液晶に印加することで、動画像表示の際に画像輪郭部分で生じるボケを低減することが可能となり、高画質の動画像表示を実現することができる。
【００７１】
尚、本実施形態においても、強調変換部２とＯＳテーブルメモリ（ＲＯＭ）２３とで強調変換手段を構成しているが、ＯＳテーブルメモリを設ける代わりに、例えば遷移前の階調と遷移後の階調とを変数とする２次元関数ｆ（ｐｒｅ，ｃｕｒ）を用意しておき、これを用いて１／２垂直表示周期（走査周期）に対する液晶表示パネル５の光学応答特性を補償する強調変換信号を求める構成としても良い。
【００７２】
また、上記実施形態においては、第１、第２画像表示期間のそれぞれを入力画像信号の１／２フレーム期間としているが、制御ＣＰＵ５６からの制御信号に基づいて、入力画像信号を書き込むための走査線の立ち上げタイミングを調整することにより、入力画像信号の１フレーム期間内における第１、第２表示期間の割合を任意に設定することが可能であり、液晶表示パネル５の光学応答特性に応じて、最適な液晶の応答性、忠実性を実現し、高画質な画像表示を得ることができる。
【００７３】
さらに、上記第３実施形態においては、第２画像表示期間で強調変換が施されない画像データ（入力画像信号）をそのまま液晶表示パネル５に供給する構成としているが、上記第２実施形態と同様、液晶応答速度が遅い場合や第２画像表示期間を短縮した場合などであっても、第２画像表示期間経過後に液晶表示パネル５を確実に入力画像信号の定めるデータ階調輝度へ到達させるように、オーバーシュート駆動（強調変換処理）を行うようにしても良い。
【００７４】
これについて、本発明の第４実施形態として、図１７とともに説明するが、上記実施形態と同一部分には同一符号を付し、その説明は省略する。ここで、図１７は本実施形態の液晶表示装置における概略構成を示す機能ブロック図である。
【００７５】
本実施形態の液晶表示装置は、図１７に示すように、第１画像表示期間用の強調変換パラメータを格納したＯＳテーブルメモリ（ＲＯＭ）３３ａと、第２画像表示期間用の強調変換パラメータを格納したＯＳテーブルメモリ（ＲＯＭ）３３ｂと、入力画像信号の１フレーム期間前後の階調遷移に基づき、ＯＳテーブルメモリ（ＲＯＭ）３３ａ、３３ｂのそれぞれを参照して、第１の強調変換信号（Ｄａｔａ１）及び第２の強調変換信号（Ｄａｔａ２）を求める強調変換部５２とを備えている。
【００７６】
ＯＳテーブルメモリ（ＲＯＭ）３３ａには、１垂直表示期間（＝８．３ｍｓｅｃ）内で現垂直表示期間の画像データ（Ｃｕｒｒｅｎｔ  Ｄａｔａ）の定めるデータ階調輝度（透過率）を階調遷移方向へ強調した強調階調輝度に液晶が到達可能な強調変換パラメータが格納されており、ＯＳテーブルメモリ（ＲＯＭ）３３ｂには、１垂直表示期間（＝８．３ｍｓｅｃ）内で現垂直表示期間の画像データ（Ｃｕｒｒｅｎｔ  Ｄａｔａ）の定めるデータ階調輝度に液晶が到達可能な強調変換パラメータが格納されている。
【００７７】
液晶コントローラ４４は、制御ＣＰＵ５６からの制御信号に基づいて、ゲートドライバ４６に駆動信号を供給するとともに、前記強調変換部５２による第１の強調変換信号（Ｄａｔａ１）と第２の強調変換信号（Ｄａｔａ２）とをそれぞれソースドライバ４７に供給する。ここで、ゲートドライバ４６において各走査線を前記第１の強調変換信号（Ｄａｔａ１）の書き込みのために選択する以外に、前記第２の強調変換信号（Ｄａｔａ２）の書き込みのために再度選択するとともに、それに応じて前記第１の強調変換信号（Ｄａｔａ１）及び前記第２の強調変換信号（Ｄａｔａ２）をデータ線へ供給するという一連の動作を１フレーム周期で行う。
【００７８】
これによって、本実施形態の液晶表示装置は、液晶表示パネル５の全面に対し、第１走査期間にてＯＳテーブルメモリ（ＲＯＭ）３３ａを参照して強調変換が施された画像データ（第１の強調変換信号）の書込走査を行った後、第２走査期間にてＯＳテーブルメモリ（ＲＯＭ）３３ｂを参照して強調変換が施された画像データ（第２の強調変換信号）の書込走査を行うことで、入力画像信号の１フレーム期間（＝１６．７ｍｓｅｃ）において、第１の強調変換信号（Ｄａｔａ１）を表示する第１画像表示期間（＝８．３ｍｓｅｃ）と第２の強調変換信号（Ｄａｔａ２）を表示する第２画像表示期間（＝８．３ｍｓｅｃ）とを交互に繰り返し発生させている。
【００７９】
すなわち、本実施形態によれば、液晶が第１画像表示期間（入力画像信号の１／２フレーム期間）経過後に現フレーム画像データの定めるデータ階調輝度を階調遷移方向へ強調した強調階調輝度に到達するように、オーバーシュート駆動（強調変換処理）を行って、液晶応答速度を加速させるとともに、第２画像表示期間（入力画像信号の１／２フレーム期間）経過後に現フレーム画像データの定めるデータ階調輝度に到達するように、オーバーシュート駆動（強調変換処理）を行うことで、確実に第２画像表示期間内で現フレーム画像データの定めるデータ階調輝度に応答させることができ、動画像表示の際に画像輪郭部分で生じるボケを低減するとともに、所望の階調輝度表示を行うことが可能となり、高画質の動画像表示を実現することができる。
【００８０】
尚、本実施形態においても、強調変換部５２とＯＳテーブルメモリ（ＲＯＭ）３３ａ，３３ｂとで強調変換手段を構成しているが、ＯＳテーブルメモリを設ける代わりに、例えば遷移前の階調と遷移後の階調とを変数とする２次元関数ｆ（ｐｒｅ，ｃｕｒ）を用意しておき、これを用いて１／２垂直表示周期（走査周期）に対する液晶表示パネル５の光学応答特性を補償する強調変換信号を求める構成としても良い。
【００８１】
また、上記実施形態においては、第１、第２画像表示期間のそれぞれを入力画像信号の１／２フレーム期間としているが、制御ＣＰＵ５６からの制御信号に基づいて、入力画像信号を書き込むための走査線の立ち上げタイミングを調整することにより、入力画像信号の１フレーム期間内における第１、第２表示期間の割合を任意に設定することが可能であり、液晶表示パネル５の光学応答特性に応じて、最適な液晶の応答性、忠実性を実現し、高画質な画像表示を得ることができる。
【００８２】
さらに、上記実施形態においては、第１画像表示期間用の強調変換パラメータと、第２画像表示期間用の強調変換パラメータとを、それぞれ個別に設けられたＯＳテーブルメモリ（ＲＯＭ）３３ａ、３３ｂに格納しているが、単一のＯＳテーブルメモリ（ＲＯＭ）の異なるテーブル領域に格納しておき、参照するテーブル領域を切り替えることにより、第１及び第２の強調変換信号を求めるように構成しても良い。
【００８３】
【発明の効果】
本発明の液晶表示装置は、上記のような構成としているので、第１表示期間経過後に液晶を入力画像信号の定めるデータ階調輝度（透過率）を階調遷移方向に強調した強調階調輝度（透過率）に到達させるとともに、第２表示期間経過後に液晶を入力画像信号の定めるデータ階調輝度（透過率）に到達させることによって、動画像表示の際に画像輪郭部分で生じるボケを低減することが可能となり、高画質の動画像表示を実現することができる。
【図面の簡単な説明】
【図１】本発明の液晶表示装置の第１実施形態における概略構成を示す機能ブロック図である。
【図２】本発明の液晶表示装置の第１実施形態における各部動作例を示すタイミングチャートである。
【図３】本発明の液晶表示装置の第１実施形態におけるＯＳテーブルメモリのテーブル内容例を示す概略説明図である。
【図４】本発明の液晶表示装置の第１実施形態における表示動作原理を示す概略説明図である。
【図５】本発明の液晶表示装置の第１実施形態において６４階調から１２８階調へと変化する画像信号が入力された時の書込階調電圧を示す概略説明図である。
【図６】本発明の液晶表示装置の第１実施形態において６４階調から１２８階調へと変化する画像信号が入力された時の表示階調輝度を示す概略説明図である。
【図７】本発明の液晶表示装置の第１実施形態における第１表示期間の各目標階調輝度に対するボケ幅を示す説明図である。
【図８】本発明の液晶表示装置の第１実施形態における第１表示期間の各目標階調輝度に対するボケ幅を示す説明図である。
【図９】本発明の液晶表示装置の第２実施形態における概略構成を示す機能ブロック図である。
【図１０】本発明の液晶表示装置の第２実施形態における各部動作例を示すタイミングチャートである。
【図１１】本発明の液晶表示装置の第２実施形態におけるテーブルメモリ（ＲＯＭ）の一例を示す概略説明図である。
【図１２】本発明の液晶表示装置の第２実施形態において６４階調から１２８階調へと変化する画像信号が入力された時の書込階調電圧を示す概略説明図である。
【図１３】本発明の液晶表示装置の第２実施形態において６４階調から１２８階調へと変化する画像信号が入力された時の表示階調輝度を示す概略説明図である。
【図１４】本発明の液晶表示装置の第３実施形態における概略構成を示す機能ブロック図である。
【図１５】本発明の液晶表示装置の第３実施形態におけるゲート駆動に関するタイミングチャートである。
【図１６】本発明の液晶表示装置の第３実施形態における表示動作原理を示す概略説明図である。
【図１７】本発明の液晶表示装置の第４実施形態における概略構成を示す機能ブロック図である。
【図１８】従来の液晶表示装置におけるオーバーシュート駆動回路の概略構成を示す機能ブロック図である。
【図１９】従来の液晶表示装置における要部構成を示す等価回路図である。
【図２０】オーバーシュート駆動回路に用いるＯＳテーブルメモリにおけるテーブル内容の一例を示す概略説明図である。
【図２１】液晶に加える電圧と液晶の応答との関係を示す説明図である。
【図２２】画像輪郭部分での画質評価を行うためのテスト画像を示す説明図である。
【図２３】従来の液晶表示装置において画像輪郭部分で生じるボケを説明するための説明図である。
【符号の説明】
１、２１、３１  フレームメモリ
２、２２、３２、５２  強調変換部
３、２３、３３ａ、３３ｂ  テーブルメモリ（ＲＯＭ）
４、２４、４４  液晶コントローラ
５  液晶表示パネル
６、４６  ゲートドライバ
７、４７  ソースドライバ
２５  同期抽出部
２６、５６  制御ＣＰＵ
２７  フレーム周波数変換部
【図１】
2004264725.tif 000003
【図２】
2004264725.tif 000004
【図３】
2004264725.tif 000005
【図４】
2004264725.tif 000006
【図５】
2004264725.tif 000007
【図６】
2004264725.tif 000008
【図７】
2004264725.tif 000009
【図８】
2004264725.tif 000010
【図９】
2004264725.tif 000011
【図１０】
2004264725.tif 000012
【図１１】
2004264725.tif 000013
【図１２】
2004264725.tif 000014
【図１３】
2004264725.tif 000015
【図１４】
2004264725.tif 000016
【図１５】
2004264725.tif 000017
【図１６】
2004264725.tif 000018
【図１７】
2004264725.tif 000019
【図１８】
2004264725.tif 000020
【図１９】
2004264725.tif 000021
【図２０】
2004264725.tif 000022
【図２１】
2004264725.tif 000023
【図２２】
2004264725.tif 000024
【図２３】
2004264725.tif 000025